(57)【要約】巻きウエスト部分に連結する肩帯を有する腰帯と、腰帯に動作可能に取り付けられた少なくとも１つの連結手段とを設けて、防護服とする。防護服は、１または複数の上半身モジュール式防護要素と、１または複数の下半身モジュール式防護要素とを備え、下半身モジュール式防護要素のうち少なくとも１つは、連結手段によって腰帯に取り付けられる。【選択図】図１１ａ
2013527886.tif 000002
【特許請求の範囲】
【請求項１】
巻きウエスト部分に連結する肩帯と、腰帯に動作可能に取り付けられる少なくとも１つの連結手段とを有する腰帯と、１または複数の上半身モジュール式防護要素と、１または複数の下半身モジュール式防護要素とを備える防護服であって、
前記下半身モジュール式防護要素のうち少なくとも１つは前記連結手段によって前記腰帯に取り付けられる
ことを特徴とする防護服。
【請求項２】
前記上半身モジュール式防護要素が肩防具を備える
請求項１に記載の防護服。
【請求項３】
前記肩防具が、前記肩防具を前記ユーザに固定するための腋下防弾フラップを備える
請求項２に記載の防護服。
【請求項４】
前記腋下防弾フラップが、調整可能なストラップ及びバックルシステムと、補助ストラップ及びバックルシステムとを備え、それにより前記肩防具が前記ユーザを収容し、前記ユーザが前記腰帯上に着用するベストに対して緩みがない状態に調節可能に配置される
請求項３に記載の防護服。
【請求項５】
前記肩防具が一体型襟を備える
請求項２ないし４のいずれかに記載の防護服。
【請求項６】
前記上半身モジュール式防護要素が、前記ユーザの腕の少なくとも一部分上に配置される腕防具を備える
請求項１ないし５のいずれかに記載の防護服。
【請求項７】
前記モジュール式防護要素が、前記ユーザの片腕または両腕の少なくとも一部分上に配置される腕防具を備え、前記腕防具が前記肩防具に連結される
請求項２ないし５のいずれかに記載の防護服。
【請求項８】
前記腕防具が、各肩及び前記腕防具の上部それぞれに隣接して配置される緊急分離ジッパーによって、前記肩防具に連結される
請求項７に記載の防護服。
【請求項９】
前記腕防具がそれぞれ腕防具の肘部分に屈曲部を有する腕の長さの防具を備える
請求項７または８に記載の防護服。
【請求項１０】
前記防具が、耐火性、耐摩耗性及び耐引き裂き性繊維から形成される内側部分と、少なくとも部分的に耐火性、耐摩耗性及び耐引き裂き性プラスチック素材から形成される外側部分とを備える
請求項９に記載の防護服。
【請求項１１】
前記腕防具の腋下領域に隣接してまちを備え、前記ユーザの前記腋下領域に防護を提供する
請求項７ないし１０のいずれかに記載の防護服。
【請求項１２】
前記腕防具がそれぞれ、上腕部防護部分と前腕部防護部分とから形成される袖を備える
請求項７または８に記載の防護服。
【請求項１３】
前記分離ジッパーが前記上腕部防護部分の上部に配置される
請求項１２に記載の防護服。
【請求項１４】
前記腕防具の長さに沿って延在する開口手段を備える
請求項８ないし１３のいずれかに記載の防護服。
【請求項１５】
前記開口手段がジッパーを備える
請求項１４に記載の防護服。
【請求項１６】
前記前腕部防護部分が前記上腕部防護部分の下部に取り付けられる
請求項１２または１３に記載の防護服。
【請求項１７】
前記上腕部及び前腕部防護部分上に形成され、前記上腕部防護部分を前記前腕部防護部分に連結するバックル要素を備える
請求項１４に記載の防護服。
【請求項１８】
前記上腕部防護部分及び前記前腕部防護部分の長さに渡って延在する開口手段を備える
請求項１６または１７に記載の防護服。
【請求項１９】
前記開口手段がジッパーを備える
請求項１８に記載の防護服。
【請求項２０】
前記下半身モジュール式防護要素が防弾半ズボンを備える
請求項１ないし１９のいずれかに記載の防護服。
【請求項２１】
前記腰帯が調整可能なウエストストラップを備え、前記防弾半ズボンがベルト通し部分を備え、前記調整可能なウエストストラップが、前記半ズボンを前記ユーザの前記ウエストに固定するために、前記防弾半ズボン上の前記ベルト通しにフックで留められる
請求項２０に記載の防護服。
【請求項２２】
前記防弾半ズボンが弾性素材を外側大腿部に備える
請求項２１に記載の防護服。
【請求項２３】
前記下半身モジュール式防護要素が大腿部防具を備える
請求項１ないし２２のいずれかに記載の防護服。
【請求項２４】
前記連結手段が、少なくとも部分的に前記腰帯のウエスト部分の周囲に延在する連結部分を備え、前記大腿部防具が、少なくとも部分的に前記腰帯の前記ウエスト部分の周囲に延在する前記連結部分に取り付ける補助連結部分を備える
請求項２３に記載の防護服。
【請求項２５】
前記連結部分がジッパー部分を備え、前記補助連結部分が補助ジッパー部分を備え、前記ジッパー部分が前記腰帯の前記ウエスト部分の略周囲に延在する
請求項２４に記載の防護服。
【請求項２６】
前記大腿部防具が、前記大腿部防具の内側部分に開口手段を備える
請求項２３ないし２５のいずれかに記載の防護服。
【請求項２７】
前記開口手段が、前記ユーザの大腿部内側に隣接する前記大腿部防具の一部分に配置されるジッパーを備える
請求項２６に記載の防護服。
【請求項２８】
前記大腿部防具が前記ユーザの前記ウエストから前記ユーザの前記膝下まで延在する
請求項２３ないし２６のいずれかに記載の防護服。
【請求項２９】
前記大腿部防具が、前記大腿部防具と一体型である膝防具を備え、前記膝防具が防弾素材から形成される
請求項２３ないし２８のいずれかに記載の防護服。
【請求項３０】
下肢防具を備える
請求項２９に記載の防護服。
【請求項３１】
前記下肢防具が、前記膝防具に隣接する前記大腿部防具の一部分と連結している
請求項３０に記載の防護服。
【請求項３２】
前記膝防具に隣接する前記大腿部防具の前記部分が、前記膝防具の下側にあり、前記下肢防具が１または複数のバックルを備え、前記大腿部防具が前記下肢防具を前記大腿部防具に取り付ける１または複数のバックルを備える
請求項３１に記載の防護服。
【請求項３３】
前記下肢防具が、前記ユーザの膝上に延在する膝防護部分を備える
請求項３２に記載の防護服。
【請求項３４】
前記膝防護部分が耐衝撃材を備える
請求項３３に記載の防護服。
【請求項３５】
前記上半身モジュール式防護要素が防弾胴体防護要素を備える
請求項２ないし３４のいずれかに記載の防護服。
【請求項３６】
前記胴体防護要素が前記ユーザの少なくとも胸部を覆う
請求項３５に記載の防護服。
【請求項３７】
前記胴体防護要素が前記ユーザの上半身の略全体を覆い、前記ユーザの鼠径部を覆うように延在する鼠径部防護領域を備える
請求項３６に記載の防護服。
【請求項３８】
前記胴体防護要素が、２つ以上のバックル要素を有する防爆胸当てを備え、前記肩防具が、前記バックル要素に取り付けるストラップを有する防弾フラップを備える
請求項３５ないし３７のいずれかに記載の防護服。
【請求項３９】
前記胸部防具板が４つのバックル要素を備え、前記肩防具が、前記４つのバックル要素のうち２つに取り付けるために、前記肩防具上に２つの対応する前記バックル要素を備え、前記肩防具が、前記４つのバックル要素のうち残りの２つに取り付けるために、前記ユーザの前記胸部領域に隣接して配置される２つの対応する胸部バックル要素を備える
請求項３８に記載の防護服。
【請求項４０】
前記防弾フラップ上の前記バックル要素が調整可能であり、前記胸部バックル要素は固定され、それにより、使用時には、前記胸部防具を最初に前記固定バックル要素にバックルで留め、次に前記調整可能なバックル要素にバックルで留めることによって、前記胸部防具が前記ユーザの胴体領域に対して緩みがないようにする
請求項３９に記載の防護服。
【請求項４１】
前記腰帯上の前記連結手段が、ストラップ、バックル、及びジッパーからなる群から選択される１または複数の防護手段を備える
請求項１に記載の防護服。
【請求項４２】
ユーザのための防護服であって、肩帯を有する腰帯と、１または複数の下半身モジュール式防護要素を取り付けるための少なくとも１つの連結手段と、１または複数の上半身モジュール式防護要素とを組み合わせて備え、前記１または複数の上半身モジュール式防護要素が、
ｉ．肩防具と、
ｉｉ．腕防具と、
を備え、
前記１または複数の下半身モジュール式防護要素が、
ｉｉｉ．防弾半ズボンと、
ｉｖ．大腿部防具と、
を備える
ことを特徴とする防護服。
【請求項４３】
前記大腿部防具と連結する下肢防具と、前記肩防具上の腋下フラップの一部及び前記肩防具の胸部領域の一部に連結する防爆胸当てとを備える
請求項４２に記載の防護服。
【発明の詳細な説明】
【技術分野】
【０００１】
本発明は、防護服及び防護衣に関する。具体的には、現役勤務中の軍人、警察官及びその他救急隊員を防護するためのモジュール式防護服に関する。
【背景技術】
【０００２】
軍人は危険な環境で業務に従事することが多く、銃弾、ならびに爆弾及び道端のＩＥＤ（簡易爆発手段）などの爆発装置からの破片など、弾道物の脅威にさらされることも多い。このような環境で業務に従事する軍人には、標準的な軍服と組み合わせて着用するための袖のない防護ジャケットが支給されることもある。防護ジャケットは正面及び背面のポケットを備える。各ポケットは正面及び背面の胴体領域を覆うように延在し、防弾板を収容する。防弾板は一般的に、アラミド素材などの防弾繊維の複数の層にエポキシ樹脂を埋め込み、お互いに熱圧着した複合素材から構成される。正面及び背面の防護板の補助により、銃弾及び破片が胸腔を貫通して重要な臓器を傷つけることを防ぐ。
【０００３】
さらに危険な条件では、一般的には爆弾装置及び爆弾処理作業向けの態勢において、軍人は全身防備具を含む防爆衣を支給されることもある。これらの防爆衣は、そのサイズ、重量及び分厚さによって、一般的に、着用するためにかなりの時間を必要とし、可動性が大きく制限される。上下別の防爆衣も従来技術では既知であり、上半身及び下半身の防護を個別に提供する。従来技術において、特に、優れた可動性・汎用性・特別仕様・防護のうち１または複数を提供する防爆衣または戦闘服の形式の防護服に対する必要性がある。
【発明の概要】
【課題を解決するための手段】
【０００４】
本発明の第１の実施形態では、ユーザのための防護服システムを開示する。本防護服システムは、肩帯と少なくとも１つの連結手段とを有する腰帯と、１または複数の上半身モジュール式防護要素と、１または複数の下半身モジュール式防護要素とを含む。肩帯は巻きウエスト部分に連結し、少なくとも１つの連結手段は腰帯に動作可能に取り付けられる。好ましくは、下半身モジュール式防護要素のうち少なくとも１つは連結手段によって腰帯に取り付けられる。
【０００５】
第１の実施形態の一態様によれば、１または複数の上半身モジュール式防護要素は肩防具であり、少なくとも１つの連結手段はユーザの上部胸部領域に隣接する腰帯の一領域から延在し、肩防具上の対応する連結部分と組み合わさる。好ましくは、少なくとも１つの連結手段は腋下防弾フラップによって画定され、調整可能なストラップ及びバックルシステムを備える。対応する連結部分は補助ストラップ及びバックルシステムを含み、それにより、上記肩防具はユーザを収容し、ユーザが腰帯上に着用するベストに対して緩みがない状態のままであるように調節可能に配置される。
【０００６】
本発明の別の態様によれば、肩防具は一体型襟を含む。
【０００７】
本発明の別の実施形態によれば、１または複数の上半身モジュール式防護要素は腕防具であり、ユーザの腕の少なくとも一部分上に配置される。好ましくは、腕防具は、たとえば緊急分離ジッパーによって肩防具に連結する。緊急分離ジッパーは、肩防具上の各肩及び腕防具上の腕防具上部に隣接してそれぞれ配置される。
【０００８】
本実施携帯の一態様によれば、腕防具は腕の長さの腕防具であり、その肘部分に屈曲部を含む。好ましくは、防具は耐火性、耐摩耗性及び耐引き裂き性繊維から形成される内側部分と、耐火性、耐摩耗性及び耐引き裂き性プラスチック及び耐火性、耐摩耗性及び耐引き裂き性繊維及び／またはエラストマからそれぞれ部分的に形成される外側部分とを含む。本実施形態の腕防具は、上記腕防具の腋下領域に隣接するまちをさらに含み、ユーザの腋下領域に防護を提供してもよい。
【０００９】
腕防具の別の実施形態によれば、腕防具は上腕部防護部分及び前腕部防護部分から形成される袖を含む。好ましくは、分離ジッパーを上腕部防護部分の上部に配置する。本発明の一態様によれば、腕防具の長さに沿って延在するジッパーなどの開口手段を設けて、たとえば、洗濯のために防護用挿入物を取り出しやすくする。
【００１０】
本発明の別の態様によれば、前腕部防護部分は上腕部防護部分の下部に取り付けられる。好ましくは、対応するバックル要素を上腕部及び前腕部防護部分に形成し、上腕部防護部分を前腕部防護部分に連結する。開口手段を上腕部防護部分及び前腕部防護部分の長さに沿って延在するように設け、それぞれの腕防護部分がユーザの腕を覆いやすくしてもよい。
【００１１】
本発明の別の実施形態によれば、１または複数の下半身モジュール式防護要素は、防弾半ズボンをさらに含む。好ましくは、腰帯は調整可能なウエストストラップを含み、防弾半ズボンはベルト通し部分をさらに含む。それにより、ウエストストラップは防弾半ズボン上のベルト通しにフックで留められるように適応され、半ズボンをユーザのウエストに固定する。一態様によれば、防弾半ズボンはその外側大腿部に沿って弾性素材を含む。
【００１２】
本発明の別の実施形態によれば、１または複数の下半身モジュール式防護要素は、大腿部防具をさらに含む。好ましくは、腰帯上の少なくとも１つの連結手段は、腰帯のウエスト部分周囲に少なくとも部分的に延在する連結部分を含む。大腿部防具は、腰帯のウエスト部分周囲に少なくとも部分的に延在する連結部分に取り付けるための補助連結部分をさらに含む。
【００１３】
本実施携帯の一態様によれば、腰帯上の連結部分はジッパー部分であり、補助連結部分は補助ジッパー部分である。好ましくは、ジッパー部分は腰帯のウエスト部分の略周囲に延在する。大腿部防具は、ジッパーなどの開口手段をその内側部分にさらに備えてもよい。
【００１４】
好ましくは、大腿部防具はユーザのウエストからユーザの膝下まで延在する。本実施形態の一態様によれば、大腿部防具は大腿部防具と一体化する膝防具をさらに備える。好ましくは、膝防具は防弾素材から形成される。
【００１５】
本発明の別の実施形態によれば、防護服システムはユーザの片足または両足のための下肢防具をさらに備える。好ましくは、下肢防具は膝防具に隣接する大腿部防具の一部分に連結する。本実施形態の一態様によれば、膝防具に隣接する大腿部防具の一部分は膝防具の下側にある。下肢防具は１または複数のバックルを含んでもよく、大腿部防具は、下肢防具を大腿部防具に取り付けるための１または複数の対応するバックルを含んでもよい。好ましくは、下肢防具はユーザの膝領域を略覆うように延在し、耐衝撃材を備えて膝領域を覆う防護板を含む。
【００１６】
本発明の別の実施形態によれば、１または複数の上半身モジュール式防護要素は防爆胸当てなどの防弾胴体防護要素をさらに含み、ユーザの胸部及び上半身を覆う。防爆胸当ては、ユーザの鼠径部領域を覆うように延在する鼠径部防護部分をさらに含んでもよい。別の実施形態によれば、爆風減衰ライナーを防爆胸当てとユーザとの間に配置する。
【００１７】
本実施携帯の一態様によれば、防爆胸当ては２つ以上のバックル要素を含み、少なくとも１つのバックル要素を肩防具上に設ける。好ましくは、防具板は４つのバックル要素を含み、肩防具は２つの対応する防弾フラップを含む。２つの対応する防弾フラップは、４つのバックル要素のうち２つに取り付けるための２つの対応するバックル要素を有する。肩防具は、４つのバックル要素のうち残りの２つに取り付けるための２つの胸部バックル要素をさらに含む。
【００１８】
好ましくは、防弾フラップ上のバックル要素は調整可能であり、肩防具上の胸部バックル要素は固定されている。それにより、使用時には、胸部防具を最初に固定バックル要素にバックルで留め、次に調整可能なバックル要素にバックルで留めることによって、胸部防具がユーザの胴体領域に対して確実に緩みがないようにする。
【００１９】
本発明の別の実施形態によれば、腰帯上の少なくとも１つの連結手段は、ストラップ、バックル、腋下フラップ、腋下フラップから延在するストラップ、腋下フラップから延在するバックル及びジッパーからなる群から選択される１または複数の防護手段を含んでもよい。同様に、肩防具上の少なくとも１つの連結手段は、ストラップ、バックル、腋下フラップ、腋下フラップから延在するストラップ、腋下フラップから延在するバックル及びジッパーからなる群から選択される１または複数の防護手段を含んでもよい。
【００２０】
本発明の別の実施形態では、肩帯を有する腰帯と、複数のモジュール式防護要素を腰帯に取り付けるための少なくとも１つの連結手段とを組み合わせて含み、複数のモジュール式防護要素は防弾半ズボンと、大腿部防具とを備える防護服を開示する。
【００２１】
本実施携帯の一態様によれば、防護服は、大腿部防具に連結する下肢防具と、部分的に肩防具に連結し、かつ部分的に肩防具の腋下フラップに連結する防爆胸当てとをさらに含む。
【００２２】
本発明のその他の有利点、特徴及び特性は、本構造の関連要素の動作方法及び機能、ならびに部品の組み合わせ及び製造利益と合わせて、後述する詳細な説明及び付属の特許請求の範囲を添付図を参照して考慮することによって明らかとなろう。添付図を下記に簡単に説明する。
【図面の簡単な説明】
【００２３】
【図１】本発明による代表的な腰帯の斜視図
【図２】図１の腰帯をユーザが着用した斜視図
【図３】本発明と共に用いる代表的な防護ベストの斜視図
【図４】図１の腰帯及び図３のベストをユーザが着用した斜視図
【図５】本発明による代表的な肩防具の斜視図
【図６】図５の肩防具をユーザが着用した斜視図
【図７】図６で丸を付けた部分の詳細図
【図８Ａ】本発明による代表的な単体腕防具をユーザが着用した斜視図
【図８Ｂ】本発明による代表的な２枚式の腕防具をユーザが着用した斜視図
【図９】本発明による代表的な防護半ズボンの斜視図
【図１０】図９の防護半ズボンをユーザが着用した斜視図
【図１１ａ】本発明による代表的なモジュール式防護要素の斜視図
【図１１ｂ】図１１ａの代表的なモジュール式防護要素をユーザが着用した斜視図
【図１２】本発明による代表的な下肢防具の斜視図
【図１３】本発明による下肢防具をユーザが着用した斜視図
【図１４】本発明による代表的な胸当てををユーザが着用した斜視図
【図１５】図８Ａで丸を付けた部分の詳細図。
【図１６】図８Ｂで丸を付けた部分の詳細図
【図１７】図１３で丸を付けた部分の詳細図
【図１８】本発明の別実施例の正面図
【図１９】図１８の側面図
【発明を実施するための形態】
【００２４】
本発明による特徴は、その構造、構成、使用及び操作方法に関して、本発明の目的及び利点と合わせ、図面からより良く理解される。図面では、本発明の現在の好ましい実施形態を例示する。なお、図面は例示及び説明のみを目的とし、本発明を限定するものではない。
【００２５】
本発明は、様々な脅威に対して防護するように設計される、防爆衣などの防護服または戦闘員防護システムを開示する。様々な脅威とは、たとえば、軍人、警察官及びその他救急隊員の任務中に起こる、爆発物、銃撃、爆発による破片及びその他作戦中の危険から生じる脅威である。従来技術のシステムとは異なり、本発明の防護服はモジュール式防護システムを提供する。モジュール式防護システムは容易に変更可能であり、具体的な任務環境において予測される脅威及び作戦上の要件に基づいて、適切なレベルの防護及び可動性を提供するように適応可能である。本発明のモジュール式システムによって、作戦上の環境要件及びユーザが遂行する具体的な任務の要件に対処するために、様々な構成において着用可能な防護服が実現する。明確を期すために、本明細書において用いる防護服、及び防護服システムという用語は置き換え可能であり、これらの用語は、防護服を使用する任務の種類にしたがって、使用される可能性のある防爆衣、救急服、戦闘服及びその他の防護服に等しく適用されてよいことが理解されよう。ただし、一般的には、防護服及び防護服システムという用語は本発明の防護服を指し、置き換え可能に言及されることもある。
【００２６】
したがって、下記の防護服の様々な成分ならびに上半身及び下半身のモジュール式防護要素を任意に組み合わせて着用することができ、具体的な作戦上の要件を満たす防護服を提供できることは、当業者には明らかであろう。下半身を防護する各モジュール式防護要素は基本の腰帯（下記に詳述）に取り付けてもよく、またはお互いに対して取り付けてもよく、使用する防護服を最終的に形成する。上半身を防護するモジュール式防護要素は、下記に詳述する肩防具に取り付けてもよい。
【００２７】
下記に述べるモジュール式防護要素は任意の数の素材から形成されてもよい。素材には、アラミドなどの繊維、防弾プラスチック、耐衝撃材及びケブラーなどの同様の素材、ならびに耐火性、耐摩耗性及び防弾性のうち１または複数を実現できる上記素材の任意の組み合わせが含まれる。さらに、向上した担持力及び耐摩耗性を提供する、耐久性のある耐紫外線エラストマゴムパネルをモジュール式防護要素の部分に組み込んでもよい。これらの素材に関する記述は本発明の理解と説明を補助するためのものであるが、本発明はこれらの素材に限定されないことを当業者は理解するであろう。様々なレベルの防護を提供する様々な他の素材を、本発明のモジュール式防護要素の任意の部分または全体に組み込んでもよい。
【００２８】
図１３は、ユーザ５のための代表的な防護服１０を示す。ユーザとは、軍人、警察官またはその他救急隊員を指す。
図１及び２に示すように、防護服１０は基本の腰帯１２を有する。基本の腰帯１２は肩帯１４と、１または複数のモジュール式防護要素を腰帯１２に連結するための少なくとも１つの連結手段とを有する。少なくとも１つの連結手段及びモジュール式防護要素の様々な実施形態を以下に詳しく説明する。腰帯１２は好ましくは既存の制服または服の上から着用できるように適応される。それにより、急な通知であっても、防護服を迅速かつ効率的な方法で着用することができる。好ましくは、腰帯１２は背面を支持し、肩帯１４と組み合わせることによって支持を提供して背中の安定筋にかかる圧迫を軽減する。それにより、防護服をより正しい姿勢で支えることが可能となる。防護服１０が複数の防護要素を有し、防護服１０の重量が著しく増加する場合には、これは特に重要である。さらに、ユーザの肩にかかる負荷を最小限にしながら、防護服１０に取り付けることができる任意の道具、武器またはその他付属品を追加することもできる。一般的な従来技術の防爆衣及び防護服では、ユーザの肩に大きな負荷がかかる。本発明による基本の腰帯１２によって、通常は肩にかかる重量の一部を、ユーザの腰に分配することができる。本発明は図示する腰帯１２の実施形態に制限されるものではなく、当業者には理解されるように、ウエスト支持部分１６と、連結手段１８と、肩帯１４と、同一の機能を提供するその変形を有する任意の腰帯１２は、本発明の範囲内にある。防護ベスト３０（図３に図示）は腰帯１２の上に着用してもよく（図４に図示）、任意には、本発明による防護服とは別に着用してもよい。つまり、従来技術において既知である標準的な防護ベスト３０は腰帯１２の上から着用してもよく、ユーザが提供するものであってもよい。この様式では例示されていないが、使用時には、防護ベスト３０は腰帯１２の上に延在することが理解されよう。ただし、本発明を例示するために、腰帯１２の上に延在するベスト３０の部分は省略した。
図１８及び図１９では、ベストが腰帯の上に延在する実施形態を完全に示す（これらの図に関しては下記で詳述する）。
【００２９】
腰帯１２は、腰帯１２の様々な部分から延在する複数の連結手段を含んでもよい。次に図１を参照すると、腰帯１２は下部連結手段１８を含むように図示される。下部連結手段１８の例としては、ストラップ、バックル、面ファスナ、例示したジッパー、及び当業者には既知であろう同様の連結手段が挙げられる。追加の腰巻き式連結手段１８を腰帯のウエスト部分１６に設けてもよい。腰帯１２は、好ましくは、調整可能なウエストストラップ１６をさらに含み、ウエストストラップ１６はそこから延在する下部連結手段１８を有する。追加の防護要素を取り付けるために、追加の上部連結手段（非図示）を含んでもよい。追加の上部連結手段は性質上、固定されていても調整可能であってもよい。
【００３０】
図５から７に示すように、本発明の一実施形態によれば、上半身モジュール式防護要素のうち１つは肩防具５０である。肩防具５０は、ユーザの上部胸部及び首領域を防護するように形成され、あるいは寸法が取られている。本発明の一態様では、肩防具は追加の防護要素のための取り付け点５２をさらに含む。下記に詳述する追加の防護要素は、ユーザの上腕部及び前腕部に対する防護を提供する。肩防具５０は、好ましくは、ユーザの肩領域に対して追加の防護を提供する一体型襟部分５４をさらに含む。一体型襟部分５４は、硬質プラスチック素材から形成される追加の肩当て５６をさらに含んでもよい。
【００３１】
肩防具５０を着用するために、肩防具５０は、好ましくは腋下防弾フラップ上に形成される補助ストラップ及びバックルシステム５８の形で連結部分を有する。それにより、肩防具５０はユーザに適応し、ユーザが腰帯１２上に着用するベスト３０に対して緩みがない状態のままであるように調節可能に配置されてもよい。使用時には、ユーザは各腋下領域の下部にある、対応するバックル及びストラップ５８、６０をそれぞれ連結し、ストラップ５８を体から離して引っ張ることによって、肩防具５０を確実に、しっかりと適切に配置する。
【００３２】
図８Ａ及び８Ｂに示すように、本発明の一態様によれば、防護服１０の１または複数の上半身モジュール式防護要素は、ユーザの腕の少なくとも一部分上に配置される腕防具８０をさらに含んでもよい。本発明の好ましい実施形態は、図８Ａに示す単体の腕防具８０、及び図８Ｂに示す２枚式の腕防具８０ａ／８０ｂの両方を含む。
【００３３】
単体の腕防具８０は、好ましくは、迅速に解放可能な種類の連結部分１５０によって肩防具５０に連結する。連結部分１５０は肩防具５０上に一部分を有し、腕防具８０の上部８２上に別の部分を有する。迅速に解放可能な種類の連結部分は、たとえば、緊急分離ジッパー１５０であってよい。このように、ユーザは腕防具８０を迅速かつ効率的に脱ぐことができる。非常時には、つまりストレスのかかった状況で腕防具８０を脱ぐことが好ましい場合には、腕防具８０を迅速に除去することができる。本実施形態の腕防具８０は、好ましくは、腕全体を覆う長さであり、ユーザの腕の自然な屈曲に近似する屈曲部８４を含む。好ましくは、腕防具８０は耐火性、耐摩耗性及び耐引き裂き性繊維から形成される内側部分８６と、耐火性、耐摩耗性及び耐引き裂き性プラスチック素材から形成される外側部分８８とを含む。
このようにして、一般的に暴露される腕の部分に対しては、高度な防護を提供する一方、ユーザの腕の内側に対しては、高度な防護を提供しながらさらに、可動性を増すように設計された素材及び要素が用いられる。腕防具８０は、好ましくは、腕防具８０の長さに沿って延在する開口手段をさらに含む。開口手段は外側構造８０を洗濯するために防護用挿入物を取り外すためのものである。代表的な一実施形態では、開口手段は腕の長さに沿って延在するジッパー８０５を含み、好ましくは、上記プラスチック及び繊維素材との接触面に配置される。好ましくは、ジッパー８０５は隠しジッパーであり、使用中は完全に覆われる。
【００３４】
腕防具８０は、好ましくは、腕防具の腋下領域に隣接して腕８８の内側部分に形成される、一体型まち８０７をさらに含む。まち８０７は追加の防護をユーザの腋下領域に提供し、ユーザが着用する腕防具８０とベスト３０との間の防護における隙間を確実に、略排除する。腕防具は様々な道具及び付属物を収容するための一体型ポケットをさらに含んでもよい。
【００３５】
図８Ｂに示す腕防具の別の実施形態では、２枚式の腕防具８０ａ、８０ｂは、上腕部防護部分８０ａ及び前腕部防護部分８０ｂから形成される袖を含んで設けられる。上腕部防護部分８０ａは、好ましくは、単体の腕防具８０に関して前述した方法と同様の方法で肩防具５０に連結する。つまり、上腕部防護部分８０ａ及び肩防具５０に、好ましくは、腕防具８０ａを迅速に除去するための緊急分離ジッパーに対応する部分が設けられる。単体の腕防具８０に関して前述した開口手段及び素材を、上腕部防護部分８０ａ及び前腕部防護部分８０ｂのいずれかまたは両方に用いてもよい。好ましくは、前腕部防護部分８０ｂを上腕部防護部分８０ａに取り付ける。
例示する好ましい実施形態の詳細を図１６に示す。本実施携帯では、対応するバックル要素８２０、８３０を上腕部防護部分８０ａ及び前腕部防護部分８０ｂそれぞれに形成する。好ましくは、バックル要素８２０、８３０を上腕部防護部分８０ａと前腕部防護部分８０ｂの接触面に隣接して肘領域に配置し、使用時には隠す。
【００３６】
前述の腕防具の２つの変形のいずれも、肘当て８４０、前腕防護具８５０、及び当業者には明らかであろうその他任意の追加の防護など追加の武装要素をさらに含んでもよい。前述の説明から当業者には明らかであるように、腕防具全体を迅速に着脱できること、または２枚式の実施形態において腕防具の部分を迅速に着脱できることは、任務及び戦闘条件が急速に変化する場合において、または最大の防護が必要となる条件から高度な可動性が必要となる条件まで急激に変化する場合において有利である。
【００３７】
前述の実施形態をお互いに限定しない、本発明の別の実施形態によれば、１または複数のモジュール式防護要素は防弾半ズボン９０をさらに含む。
代表的な防弾半ズボンを図９及び１０に示す。防弾半ズボンは単独で用いてもよく、または１または複数の前述の肩防具５０及び腕防具８０と組み合わせて用いてもよい。防弾半ズボン９０は、好ましくは、ベルト通し部分９２を含む。ベルト通し部分９２に腰帯１２の調整可能なウエストストラップ１６を取り付けて、または腰帯１２の調整可能なウエストストラップ１６にベルト通し部分９２を取り付けてユーザのウエストに半ズボンを固定する。好ましい実施形態では、２つのベルト通しをウエストのそれぞれの側部に配置し、第３のベルト通しをウエストの背部に配置する。防弾半ズボン９０は、好ましくは、防護服の他の方法で防護されている部分と重なる部分において、部分的に弾性素材で形成される。たとえば、防弾半ズボンの外側大腿部部分９４は弾性素材から形成されてもよい。
【００３８】
本発明の別の態様によれば、１または複数のモジュール式防護要素は、大腿部防具１００をさらに含む。好ましい実施形態では、大腿部防具は防護ズボンカバーの形である。好ましくは、大腿部防具１００はユーザのウエスト領域から、ユーザの膝に隣接する領域まで延在し、より好ましくは、ユーザの膝よりもわずかに下部領域まで延在する。大腿部防具１００は、腰帯１２上に形成された腰巻き式連結手段１８を補助する連結部分１０５をさらに含む。このように、大腿部防具１００はユーザのウエスト領域全体を略支持し、ユーザのウエスト領域全体の周囲に連結する。好ましい実施形態では、腰帯１２上の腰巻き式連結手段１８はジッパーの片側を形成し、大腿部防具１００の補助連結部分１０５はジッパーのもう片側を形成し、大腿部防具１００及び腰帯１２のウエスト部分全体の略周囲に延在する。上記ジッパーは、好ましくは、大腿部防具を迅速に除去できるための緊急分離ジッパーである。大腿部防具１００は、その内側部分上に開口手段（非図示）をさらに含んでもよい。開口手段は、たとえば、大腿部防具１００の着脱を容易にするための、ユーザの大腿部内側のジッパーである。大腿部防具１００は、好ましくは、ユーザの膝領域の略全体を覆う一体型膝防具１１２をさらに含む。膝防具１１２は防弾素材で形成されてもよく、ユーザの膝に追加の保護を提供してもよい。膝防具１１２は、好ましくは、大腿部防具のポケットに縫い付けることによって大腿部防具と一体に形成される。
【００３９】
本発明の別の実施形態によれば、防護服１０は下肢防具１２０（図１２に図示）をさらに含む。下肢防具１２０は膝防具１１２またはユーザの膝の領域に隣接して、大腿部防具１００の一部に連結する。下肢防具１２０はユーザの脛領域に防護を提供し、防護服の可動性を高めるために大腿部防具１００とは別に設けられる。好ましい実施形態によれば、バックル１２５、または同様の連結手段を下肢防具１２０に設け、１または複数の対応するストラップまたはバックル１０８を膝防具１１２の下側１１４に隣接する大腿部防具１００に設け、下肢防具１２０を大腿部防具１００に取り付ける（図１７参照）。１つまたは２つの下肢防具を任意の特定の時間に用いてよいことは当業者には明らかであろう。
【００４０】
図１４に示す本発明の別の実施形態によれば、防弾胴体防護要素１４０も設けられる。防弾胴体防護要素１４０は、好ましくは、例示するように防爆胸当て１４０の形で形成され、たとえば、防護服を地雷除去に適用する際に用いられるモジュール式防護要素である。爆発物処理などの別の適用例では、つまり、防護服を防爆衣として用いる場合には、爆風減衰層の形式の追加防護要素を胸部防具とユーザの胸部との間に含んでもよい。防爆胸当て１４０は、好ましくは、ユーザの上半身領域の略全体を覆う。胸当て１４０は、好ましくは、２つ以上のバックル要素１４２を含む。バックル要素１４２は肩防具５０上のバックル要素またはストラップ５２に対応するような配置、サイズ、あるいは寸法を有する。好ましくは、肩防具上に４つのバックル要素５２ａ〜５２ｄまたはストラップがあり、そのうち２つは、防弾フラップ５５から伸長するかまたはその他の方法で連結し、残りの２つは胸部に隣接する肩防具上にある。好ましい実施形態では、防弾フラップ５５に取り付けられる肩防具５０上のバックル要素５２ｃ、５２ｄは調整可能であり、胸部バックル要素５２ａ及び５２ｂは固定されている。それにより、使用時には、胸部防具１４０を最初に固定胸部バックル要素５２ａ、５２ｂにバックルで留め、次に調整可能なバックル要素５２ｃ、５２ｄにバックルで留める。その後、ユーザが調整ストラップ５３を胴体から離して引っ張ることによって、調整可能なバックル要素５２、５２ｄを締め、したがって胸部防具１４０がユーザの胴体領域に対して確実に緩みがないようにする。１つの調整ストラップ５３のみを図１４に示すよに、対応する調整ストラップ５３がユーザの反対側に位置する。
【００４１】
本発明は、少なくとも前述した腰帯及び１または複数の追加のモジュール式防護要素を含む、防護服または防爆衣を形成するキットにさらに関する。
【００４２】
本発明は十分に拡張可能なモジュール式防護服を提供し、それにより特定の任務要件にしたがって、特定の防護要素を適応し、再設計し、またはその他の方法で修正してもよいことが当業者には理解される。
この点について、図１８及び１９では、かなり危険な状況用に設計された防護要素を用いる、本発明の代替的な実施形態を示す。図１８及び１９に示す実施形態は、基本の腰帯（図示せず）、肩防具５００、腕防具８００、防弾半ズボン５５０、大腿部防具６００、胸当て５７５及び下肢防具６５０を含む。道具及びその他付属品のための様々な取り付け点を図１８及び１９の防爆衣上に示す。さらに、前述したように、ユーザに対して胸当て５７５を締めるための引っ張りストラップ６３０を示す。胸当て５７５は鼠径部防護領域５８０をさらに含む。鼠径部防護領域５８０は胸当て５７５と一体に形成されてもよく、または追加部分として形成されてもよい。図１９は胸当て５７５とユーザとの間に配置する爆風減衰ライナー５７８を示す。図１９は、上部及び下部防護部分８００ａ、８００ｂを有する２枚式の腕防具をさらに示す。例示するように、下部防護部分８００ｂはユーザの肘上に延在し、腕を曲げるときにさらに防護を提供する。図１８及び１９に示す連結要素及び防護要素のアセンブリは前述のように大まかなものであり、アセンブリ、連結性、及び防護要素の一般的な構成の説明については前述の説明を参照すること、それらの異なる実施形態が図１８及び１９に示されていることが当業者には理解される。
【００４３】
本発明の趣旨から逸脱しない範囲で、その他の修正及び変形が可能である。
【図１】
2013527886.tif 000003
【図２】
2013527886.tif 000004
【図３】
2013527886.tif 000005
【図４】
2013527886.tif 000006
【図５】
2013527886.tif 000007
【図６】
2013527886.tif 000008
【図７】
2013527886.tif 000009
【図８Ａ】
2013527886.tif 000010
【図８Ｂ】
2013527886.tif 000011
【図９】
2013527886.tif 000012
【図１０】
2013527886.tif 000013
【図１１ａ】
2013527886.tif 000014
【図１１ｂ】
2013527886.tif 000015
【図１２】
2013527886.tif 000016
【図１３】
2013527886.tif 000017
【図１４】
2013527886.tif 000018
【図１５】
2013527886.tif 000019
【図１６】
2013527886.tif 000020
【図１７】
2013527886.tif 000021
【図１８】
2013527886.tif 000022
【図１９】
2013527886.tif 000023
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
巻きウエスト部分に連結する肩帯と、腰帯に動作可能に取り付けられる少なくとも１つの連結手段とを有する腰帯と、１または複数の上半身モジュール式防護要素と、１または複数の下半身モジュール式防護要素とを備える防護服であって、
前記下半身モジュール式防護要素のうち少なくとも１つは前記連結手段によって前記腰帯に取り付けられる
ことを特徴とする防護服。
【請求項２】
前記上半身モジュール式防護要素が肩防具を備える
請求項１に記載の防護服。
【請求項３】
前記肩防具が、前記肩防具を前記ユーザに固定するための腋下防弾フラップを備える
請求項２に記載の防護服。
【請求項４】
前記腋下防弾フラップが、調整可能なストラップ及びバックルシステムと、補助ストラップ及びバックルシステムとを備え、それにより前記肩防具が前記ユーザを収容し、前記ユーザが前記腰帯上に着用するベストに対して緩みがない状態に調節可能に配置される
請求項３に記載の防護服。
【請求項５】
前記モジュール式防護要素が、前記ユーザの片腕または両腕の少なくとも一部分上に配置される腕防具を備え、前記腕防具が、各肩及び前記腕防具の上部それぞれに隣接して配置される緊急分離ジッパーによって前記肩防具に連結される
請求項２ないし４のいずれかに記載の防護服。
【請求項６】
前記腕防具の腋下領域に隣接してまちを備え、前記ユーザの前記腋下領域に防護を提供する
請求項５に記載の防護服。
【請求項７】
前記下半身モジュール式防護要素が防弾半ズボンを備え、前記腰帯が調整可能なウエストストラップを備え、前記防弾半ズボンがベルト通し部分を備え、前記調整可能なウエストストラップが、前記半ズボンを前記ユーザの前記ウエストに固定するために、前記防弾半ズボン上の前記ベルト通しにフックで留められる
請求項１ないし６のいずれかに記載の防護服。
【請求項８】
前記下半身モジュール式防護要素が大腿部防具を備え、前記連結手段が、少なくとも部分的に前記腰帯のウエスト部分の周囲に延在する連結部分を備え、前記大腿部防具が、少なくとも部分的に前記腰帯の前記ウエスト部分の周囲に延在する前記連結部分に取り付ける補助連結部分を備える
請求項１ないし７のいずれかに記載の防護服。
【請求項９】
前記大腿部防具の下側に連結する膝防具と、１または複数のバックルを有する下肢防具とを備え、前記大腿部防具は前記下肢防具を前記大腿部防具に取り付ける１または複数の対応するバックルを備える
請求項８に記載の防護服。
【請求項１０】
前記上半身モジュール式防護要素が防弾胴体防護要素を備え、前記胴体防護要素が前記ユーザの少なくとも胸部を覆う
請求項２ないし９のいずれかに記載の防護服。
【請求項１１】
前記胴体防護要素が、２つ以上のバックル要素を有する防爆胸当てを備え、前記肩防具が、前記バックル要素に取り付けるストラップを有する防弾フラップを備える
請求項１０に記載の防護服。
【請求項１２】
前記胸部防具板が４つのバックル要素を備え、前記肩防具が、前記４つのバックル要素のうち２つに取り付けるために、前記肩防具上に２つの対応する前記バックル要素を備え、前記肩防具が、前記４つのバックル要素のうち残りの２つに取り付けるために、前記ユーザの前記胸部領域に隣接して配置される２つの対応する胸部バックル要素を備える
請求項１１に記載の防護服。
【請求項１３】
前記防弾フラップ上の前記バックル要素が調整可能であり、前記胸部バックル要素は固定され、それにより、使用時には、前記胸部防具を最初に前記固定バックル要素にバックルで留め、次に前記調整可能なバックル要素にバックルで留めることによって、前記胸部防具が前記ユーザの胴体領域に対して緩みがないようにする
請求項１２に記載の防護服。
【請求項１４】
ユーザのための防護服であって、肩帯を有する腰帯と、１または複数の下半身モジュール式防護要素を取り付けるための少なくとも１つの連結手段と、１または複数の上半身モジュール式防護要素とを組み合わせて備え、前記１または複数の上半身モジュール式防護要素が、
ｉ．肩防具と、
ｉｉ．腕防具と、
を備え、
前記１または複数の下半身モジュール式防護要素が、
ｉｉｉ．防弾半ズボンと、
ｉｖ．大腿部防具と、
を備える
ことを特徴とする防護服。
【請求項１５】
前記大腿部防具と連結する下肢防具と、前記肩防具上の腋下フラップの一部及び前記肩防具の胸部領域の一部に連結する防爆胸当てとを備える
請求項１４に記載の防護服。
【国際調査報告】
2013527886.tif 000024
2013527886.tif 000025